(57)【要約】【課題】原稿混載モードにおける読み取り生産性を向上させ、ユーザにとって使い勝手の良い原稿読取装置を提供する。【解決手段】原稿読取装置５００は、原稿幅検知センサ１７および搬送ガイド規制板１８の検知情報から、原稿幅を決定する（Ｓ１０）。この幅情報と、トレイサイズ検知第１センサ１０およびトレイサイズ検知第２センサ１１の検知情報に基づく原稿長さとから、最大の定型サイズを仮の原稿サイズに決定する（Ｓ１１）。原稿読取装置５００は、分離後センサ１２のＯＮからＯＦＦのタイミングまでの期間を計測することで実際の原稿長さを測定し、実際の原稿サイズを決定する（Ｓ１４）。仮の原稿サイズと実際の原稿サイズとが等しい場合、原稿読取装置は、画像の読み取りを継続させ、異なる場合、反転パスを経由して原稿を戻し、画像の読み取りのやり直しを行わせる（Ｓ２０）。【選択図】図１
2011024098.tif 000002
【特許請求の範囲】
【請求項１】
原稿を積載する積載手段と、前記積載手段に積載された原稿を１枚ずつ読取位置を通過させるように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備え、前記読取位置に原稿が到達する前に前記搬送手段による搬送方向における原稿の長さが確定しない原稿読取装置において、
前記積載手段に配置され、前記積載手段に積載された原稿の搬送方向の長さである原稿長さを検知する第１の原稿長さ検知手段と、
前記原稿の前記搬送方向に直交する幅方向の長さである原稿幅を検知する幅検知手段と、
前記積載手段にサイズの異なる複数の原稿が混在する原稿束が積載された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、
前記搬送手段によって搬送中の原稿の搬送方向の長さを測定することにより原稿長さを検知する第２の原稿長さ検知手段と、
前記幅検知手段によって検知された原稿幅および前記第２の原稿長さ検知手段によって検知された原稿長さに基づき、実際の原稿サイズを決定する実サイズ決定手段と、
前記仮サイズ決定手段によって決定された仮の原稿サイズと、前記実サイズ決定手段によって決定された実際の原稿サイズとが等しい場合、前記仮の原稿サイズに従って行われる前記読取手段による前記画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御手段とを備えたことを特徴とする原稿読取装置。
【請求項２】
前記幅検知手段は、前記積載手段に積載される原稿束の幅方向の両端を規制する規制部材の位置を検知する第１の検知部と、前記搬送手段により前記積載手段から搬送された原稿の幅方向における一方の端部の位置を検知する第２の検知部を有し、前記第１の検知部により検知された位置と前記第２の検知部により検知された位置とに基づいて原稿幅を検知することを特徴とする請求項１記載の原稿読取装置。
【請求項３】
前記仮サイズ決定手段によって決定された仮の原稿サイズと、前記実サイズ決定手段によって決定された実際の原稿サイズとが異なる場合、前記制御手段は、前記実際の原稿サイズに従って、前記画像の読み取りのやり直しが終了するまで、次原稿の有無を確定させないことを特徴とする請求項１記載の原稿読取装置。
【請求項４】
原稿を積載する積載手段と、前記積載手段に積載された原稿を１枚ずつ読取装置の読取位置を通過させるように搬送する搬送手段と、前記搬送手段によって前記読取位置を通過して搬送された原稿を前記読取位置より上流の位置に戻すための戻し搬送経路とを備え、前記読取位置に原稿が到達する前に前記搬送手段による搬送方向における原稿の長さが確定しない自動原稿給紙装置において、
前記積載手段に配置され、前記積載手段に積載された原稿の搬送方向の長さである原稿長さを検知する第１の原稿長さ検知手段と、
前記原稿の前記搬送方向に直交する幅方向の長さである原稿幅を検知する幅検知手段と、
前記積載手段にサイズの異なる複数の原稿が混在して積載された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、
前記搬送手段によって搬送中の原稿の搬送方向の長さを測定することにより原稿長さを検知する第２の原稿長さ検知手段と、
前記幅検知手段によって検知された原稿幅および前記第２の原稿長さ検知手段によって検知された原稿長さに基づき、実際の原稿サイズを決定する実サイズ決定手段と、
前記仮サイズ決定手段によって決定された仮の原稿サイズと、前記実サイズ決定手段によって決定された実際の原稿サイズとが等しい場合、前記仮の原稿サイズに従って行われる前記読取装置による前記画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取装置により前記原稿の画像の読み取りのやり直しを行わせる制御手段とを備えたことを特徴とする自動原稿給紙装置。
【請求項５】
原稿を積載する積載手段と、前記積載手段に積載された原稿を１枚ずつ読取位置を通過するように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備え、前記読取位置に原稿が到達する前に前記搬送手段による搬送方向における原稿の長さが確定しない原稿読取装置の制御方法において、
前記積載手段に配置された第１の原稿長さ検知手段により、前記積載手段に積載された原稿の搬送方向の長さである原稿長さを検知する第１の原稿長さ検知ステップと、
前記原稿の前記搬送方向に直交する幅方向の長さである原稿幅を検知する幅検知ステップと、
前記積載手段にサイズの異なる複数の原稿が混在して積載された場合、前記幅検知ステップで検知された原稿幅と前記第１の原稿長さ検知ステップで検知された原稿長さとに基づき予測される複数の定型サイズの中の最大の定型サイズを仮の原稿サイズに決定する仮サイズ決定ステップと、
前記搬送手段によって搬送中の原稿の搬送方向の長さを測定することより原稿長さを検知する第２の原稿長さ検知ステップと、
前記幅検知ステップで検知された原稿幅および前記第２の原稿長さ検知ステップで検知された原稿長さに基づき、実際の原稿サイズを決定する実サイズ決定ステップと、
前記仮サイズ決定ステップで決定された仮の原稿サイズと、前記実サイズ決定ステップで決定された実際の原稿サイズとが等しい場合、前記仮の原稿サイズに従って行われる前記読取手段による前記画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御ステップとを有することを特徴とする原稿読取装置の制御方法。
【発明の詳細な説明】
【技術分野】
【０００１】
本発明は、搬送される原稿の画像を読み取る原稿読取装置、その制御方法および自動原稿給紙装置に関する。
【背景技術】
【０００２】
複写機、ファクシミリ装置等の画像処理装置には、画像読取装置が備えられている。また、種々の画像読取装置の中には、自動原稿給紙装置（ＡＤＦ：Auto Document Feeder）を備えたものがある。
【０００３】
画像処理装置では、原稿画像読み取りを開始する前に、原稿サイズの検出が必要となる機能を持つものが多い。画像読取前に原稿サイズの検出が必要となる機能として、自動用紙選択機能や自動倍率選択機能等がある。
【０００４】
自動用紙選択機能は、原稿サイズや、指定の倍率および画像の回転処理の有無に合わせて、適切なサイズの用紙を自動的に選択する機能である。また、自動倍率選択機能は、読み取った原稿画像を指定の用紙サイズに合わせて拡大または縮小するための画像の倍率を計算し、自動で設定する機能である。このような自動用紙選択機能や自動倍率選択機能等の機能は、画像処理装置内のコントローラによって実行されている。
【０００５】
また、ＡＤＦを使用した原稿画像読取のモードとして、最近では、異なるサイズの原稿からなる原稿束を読ませる同幅原稿混載読取モードや異幅原稿混載読取モードが重要になってきている。そして、同幅／異幅の各原稿混載読取モードに設定された原稿画像読み取りの場合でも、生産性が高いことがユーザのニーズとなってきている。
【０００６】
ここで、同幅／異幅の各原稿混載読取モードの何れも設定していない場合、原稿は全て同じサイズとみなして処理される。このため、ＡＤＦの原稿トレイ上にセットされた際の原稿の幅情報や、1枚目の原稿搬送時の送り方向の原稿長さ情報により、定型の原稿サイズが特定される。
【０００７】
ＡＤＦの種類として、装置全体の構成が大きく、搬送パス長を長くすることができるものがある。このようなＡＤＦでは、原稿先端が原稿読取位置にくるまでに、原稿幅情報と原稿長さ情報を確定することができる。その反面、このようなＡＤＦの多くでは、装置全体の構成が大きいので、重量があり、コストもかかる。
【０００８】
一方、ＡＤＦの種類によっては、原稿搬送パスが比較的に短いＡＤＦがある。例えば、原稿トレイに積載された原稿の給紙位置から原稿読取位置までの搬送パス長が、一般的にユーザに多く使用されるＡ４サイズ原稿（原稿幅２９７ｍｍ×原稿長さ２１０ｍｍ）よりも短い、ＡＤＦがある。
【０００９】
このようなＡＤＦでは、コンパクトな構成がとれることが最大のメリットである。原稿サイズが全て同じである原稿束の原稿を読み取る、通常の読み取りの場合、原稿トレイにセンサを設け、原稿トレイにセットされた際の原稿長さを判断することで、原稿幅情報と原稿長さ情報とから、原稿サイズを特定することが可能となる。
【００１０】
しかし、このような原稿搬送パスが比較的に短いＡＤＦでは、つぎのような問題があった。原稿サイズが1枚ずつ異なる原稿束を1枚ずつ自動的に原稿サイズを特定しながら読み取る異幅原稿混載読取モードで読み取り、自動用紙選択機能や自動倍率選択機能を実現する場合、通常の読み取りとは異なる制御が必要となる。すなわち、原稿トレイに原稿をセットしただけでは、１枚毎の原稿幅も原稿長さもわからないので、原稿読み取り前までに原稿サイズを特定することができないという問題があった。
【００１１】
そこで、このようなＡＤＦは、原稿サイズを特定するため、原稿の両面の画像を読み取る際の反転に用いられる反転搬送パスを使用して原稿を循環するように搬送し、この搬送中に原稿幅や原稿搬送方向の長さを検出することで、原稿サイズを特定していた。
【００１２】
また、同幅原稿混載読取モードでも、原稿トレイに原稿をセットしただけでは、１枚毎に原稿搬送方向の長さがわからないので、同様の問題があった。
【００１３】
したがって、同幅／異幅原稿混載読取モードの何れかで読み取りを行う場合、ＡＤＦは、１ページ毎に原稿サイズを特定するために、原稿を循環するように搬送するだけの空反転処理を行っていた。このため、同幅／異幅原稿混載読取モードの場合、同幅／異幅原稿混載読取モードではない、通常定型サイズの読取モードに比べ、どうしても読み取り生産性が落ちてしまうという問題があった。
【００１４】
また、ＡＤＦの中には、こうした問題を考慮したものとして、原稿サイズの予測を行い、この予測により少しでも空反転処理を行わないようにしているものがある。
【００１５】
特許文献１に記載のＡＤＦは、原稿サイズが同幅／異幅原稿混載読取モード等で不明である場合、幅サイズを検知することで、原稿サイズの候補を抽出し、まず、そのうちの１つを仮原稿サイズとして決定する。
【先行技術文献】
【特許文献】
【００１６】
【特許文献１】特開２００６−０７４１２４公報
【発明の概要】
【発明が解決しようとする課題】
【００１７】
しかしながら、上記従来の原稿読取装置には、つぎのような問題があった。すなわち、特許文献１に記載の例では、原稿サイズの予測が外れた場合、原稿の空回転処理を行って読み直しを行うことになるが、この空回転処理に要する時間を短縮する工夫がされていない。例えば、実際の原稿サイズがＡ３サイズであり、予測した原稿サイズがＡ４サイズであった場合、搬送方向の長さがＡ４サイズの２倍あるＡ３サイズの原稿を空回転処理することになるので、A４サイズに比べて空回転処理に要する時間が非常に長くなる。即ち、特許文献１では、この空回転処理を効率的に行うことを考慮した原稿サイズの予測について何も言及されていない。
【００１８】
このように、従来の原稿読取装置では、原稿混載読取モードにおける読み取り生産性を上げることができず、また、使い勝手も良くなかった。
【００１９】
そこで、本発明は、原稿混載モードにおける読み取り生産性を向上させ、ユーザにとって使い勝手の良い原稿読取装置、その制御方法および自動原稿給紙装置を提供することを目的とする。
【課題を解決するための手段】
【００２０】
上記目的を達成するために、本発明の原稿読取装置は、原稿を積載する積載手段と、前記積載手段に積載された原稿を１枚ずつ読取位置を通過させるように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備え、前記読取位置に原稿が到達する前に前記搬送手段による搬送方向における原稿の長さが確定しない原稿読取装置において、前記積載手段に配置され、前記積載手段に積載された原稿の搬送方向の長さである原稿長さを検知する第１の原稿長さ検知手段と、前記原稿の前記搬送方向に直交する幅方向の長さである原稿幅を検知する幅検知手段と、前記積載手段にサイズの異なる複数の原稿が混在する原稿束が積載された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、前記搬送手段によって搬送中の原稿の搬送方向の長さを測定することにより原稿長さを検知する第２の原稿長さ検知手段と、前記幅検知手段によって検知された原稿幅および前記第２の原稿長さ検知手段によって検知された原稿長さに基づき、実際の原稿サイズを決定する実サイズ決定手段と、前記仮サイズ決定手段によって決定された仮の原稿サイズと、前記実サイズ決定手段によって決定された実際の原稿サイズとが等しい場合、前記仮の原稿サイズに従って行われる前記読取手段による前記画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御手段とを備えたことを特徴とする。
【発明の効果】
【００２１】
本発明の請求項１に係る原稿読取装置は、幅検知手段によって検知された原稿幅および前記第１の原稿長さ検知手段によって検知された原稿長さに基づき、予測される複数の定型サイズの中の最大の定型サイズを仮の原稿サイズに決定する。さらに、原稿読取装置は第２の原稿長さ検知手段によって検知された搬送方向の長さに基づき、実際の原稿サイズを決定する。仮の原稿サイズと実際の原稿サイズとが等しい場合、原稿読取装置は、仮の原稿サイズに従って行われた画像の読み取りを継続させる。一方、仮の原稿サイズと実際の原稿サイズとが異なる場合、原稿読取装置は、戻し搬送経路を経由して原稿を上流の位置に戻し、実際の原稿サイズに従って、原稿の画像の読み取りのやり直しを行わせる。
【００２２】
これにより、仮の原稿サイズと実際の原稿サイズとが等しく予測が当たっていた場合、読み直すことなく原稿の画像の読み取りを継続させることができる。一方、予測が外れても、最大の原稿サイズより搬送方向の長さが短い原稿サイズであるので、原稿を読取位置より上流の位置に戻す時間を短くすることができる。従って、原稿混載モードにおける読み取り生産性を向上させ、ユーザにとって使い勝手の良い自動原稿給紙装置を提供することができる。
【００２３】
請求項３に係る原稿読取装置によれば、次原稿の準備処理に対し、読み直しが発生した場合、これらの処理をキャンセルする等の余計な修復処理が発生してしまう可能性が高くなることを避けることができる。従って、読み直し動作に余分な時間が発生してしまうことが無くなる。
【図面の簡単な説明】
【００２４】
【図１】実施の形態における原稿読取装置の構成を示す断面図である。
【図２Ａ】原稿読取動作を示す図である。
【図２Ｂ】原稿読取動作を示す図である。
【図２Ｃ】原稿読取動作を示す図である。
【図３】原稿トレイ３０に配置された各種のセンサを示す図である。
【図４】ＡＤＦ１００、画像読取装置２００およびコントローラ部４００の構成を示すブロック図である。
【図５】原稿サイズとこれに対応するトレイサイズ検知第１センサ１０およびトレイサイズ検知第２センサ１１のＯＮ／ＯＦＦとの関係を示すテーブルである。
【図６】異なる原稿サイズの原稿からなる原稿束ＳをＡＤＦ１００にセットした状態を示す図である。
【図７】原稿読取動作手順を示すフローチャートである。
【図８】図７につづく原稿読取動作手順を示すフローチャートである。
【図９】図７および図８につづく原稿読取動作手順を示すフローチャートである。
【図１０】１枚目の原稿の先端がレジストローラ３に突き当てられた状態を示す図である。
【図１１】搬送ガイド規制板１８の幅と原稿幅検知センサ１７の検知数とから想定される原稿サイズを示すテーブルである。
【図１２】ステップＳ２０における原稿読み直しシーケンスを示すフローチャートである。
【発明を実施するための形態】
【００２５】
本発明の原稿読取装置、その制御方法および自動原稿給紙装置の実施の形態について図面を参照しながら説明する。本実施形態の原稿読取装置は、自動原稿給紙装置および画像読取装置から構成され、画像形成装置に接続される。
【００２６】
（原稿読取装置の構成）
図１は実施の形態における原稿読取装置の構成を示す断面図である。原稿読取装置５００は、画像読取装置(リーダ)２００、自動原稿給紙装置（ＡＤＦ）１００およびコントローラ部４００（図４参照）から構成される。
【００２７】
図１には、原稿Ｓが原稿トレイ３０にセットされた直後の状態が示されている。なお、本実施形態のＡＤＦ１００は、原稿搬送パスが比較的短いＡＤＦ、すなわち分離後センサ１２から原稿読取位置までの搬送距離が所定距離よりも短いＡＤＦである。具体的に、この搬送距離は、主に使用されるＡ４サイズの短い方の長さ（２１０ｍｍ）よりも短いので、原稿搬送時の搬送モータのクロック計測等による測定では、原稿読取位置に原稿が到達するまでに、原稿の送り方向の長さを確定することができない。
【００２８】
（ＡＤＦからの原稿給紙処理）
このＡＤＦ１００を使用した原稿の画像読取動作について説明する。ＡＤＦ１００による原稿画像読取ジョブが開始されると、スキャナユニット２０９が基準白色板２１９の直下の位置まで移動し、シェーディング動作が行われる。
【００２９】
シェーディング動作が行われた後、スキャナユニット２０９は、流し読みガラス２０１の直下の位置まで移動し、原稿が読み取り位置に到達するまで待機する。
【００３０】
図２Ａ、図２Ｂおよび図２Ｃは原稿読取動作を示す図である。ＡＤＦ１００では、図２Ａの（ａ）に示すように、ジョブが開始されると、まず、複数枚の原稿からなる原稿束Ｓの原稿面に給紙ローラ１が落下し、回転を開始する。これにより、原稿束の最上面の原稿Ｓ１が給紙される。
【００３１】
ＡＤＦ１００は、原稿束Ｓを積載する原稿トレイ３０から最上面の原稿Ｓ１を１枚ずつ給紙・搬送する際、原稿束Ｓから最上面の１枚の原稿以外の原稿が重なって搬送されることを規制する分離ローラ２、分離パッド８および給紙ローラ１によって、給紙・搬送を行う。
【００３２】
給紙ローラ１によって給紙・搬送された原稿Ｓ１は、分離ローラ２と分離パッド８の作用によって１枚に分離される。この分離は周知の分離技術によって実現されている。
【００３３】
図２Ａの（ｂ）に示すように、分離ローラ２と分離パッド８によって分離された原稿Ｓ１は、レジストローラ３に搬送され、レジストローラ３に突き当てられる。これにより、原稿先端側にループが形成され、原稿Ｓ１の搬送における斜行が解消される。レジストローラ３の下流側には、原稿読取前ローラ４が設けられている。この原稿読取前ローラ４により原稿流し読みプラテンガラス２０１の方向に原稿Ｓ１を搬送する給紙パスが配置されている。
【００３４】
図２Ａの（ｃ）に示すように、給紙パスに送られた原稿Ｓ１は、レジストローラ３により原稿読取前ローラ４に送られる。さらに、この原稿Ｓ１は、原稿読取前ローラ４を通過し、原稿読取プラテンローラ５の近傍にある原稿流し読みプラテンガラス２０１の原稿読取位置を通過するように搬送される。
【００３５】
なお、原稿が原稿流し読みプラテンガラス２０１の原稿読取位置に搬送される際、原稿読取先端位置を検知するため、リードセンサ１４により原稿の先端が検知される。ＡＤＦ１００は、リードセンサ１４のＯＮタイミングから、原稿が原稿流し読みプラテンガラス２０１の原稿読取位置に達するまでの時間を、原稿読取前ローラ４および原稿読取プラテンローラ５の駆動源となる搬送モータ（図示せず）のクロックにより計数する。
【００３６】
このように、ＡＤＦ１００は、原稿流し読みプラテンガラス２０１上の原稿読取位置に原稿先端が到達するタイミングを予測する。この予測された原稿先端到達タイミングで、スキャナユニット２０９により原稿表面の流し読み画像取り込みが行われる。
【００３７】
図２Ｂの（ｄ）に示すように、ＡＤＦ１００は、分離後センサ１２で原稿Ｓ１の後端を検知した際、原稿トレイ３０における次原稿の有無を原稿有無検知センサ１６で検知する。原稿Ｓ１の後端が原稿読取プラテンローラ５及びローラ６を通過し、さらに搬送されると、排紙センサ１５により原稿Ｓ１の後端が検知される。この排紙センサ１５による原稿後端検知タイミングをトリガとし、さらに、排紙ローラ７から原稿排紙トレイ３１に原稿Ｓ１が排出されると（図２Ｂの（ｅ）参照）、原稿1枚の片面原稿読取搬送シーケンスは終了となる。
【００３８】
ＡＤＦ１００は、ジョブ設定で枚数設定分だけを読み取る場合を除き、基本的に原稿トレイ３０に原稿がなくなるまで、前述したような、原稿給紙、原稿画像取り込みおよび原稿排出を繰り返す。図２Ｂの（ｄ）に示すように、ＡＤＦ１００は、原稿の後端を分離後センサ１２により検知した際、原稿無しが検知された場合、搬送中の原稿を最終原稿と判断し、最終原稿が原稿排紙トレイ３１に排出されるまで待つ。そして、最終原稿が原稿排紙トレイ３１に排出されると、ＡＤＦ１００は、各ローラの駆動源となる搬送モータを停止し、給紙ローラ１を元の位置に戻す。これにより、原稿読取ジョブは終了する。
【００３９】
（両面原稿読取時の原稿給紙処理）
原稿の両面読取時における原稿の搬送について説明する。図２Ａの（ａ）〜（ｃ）、図２Ｂの（ｄ）、（ｅ）に示すように、原稿読取装置５００は、原稿の表面読取時、片面原稿の読み取りと同様、原稿Ｓ１を搬送し、レジストローラ３により斜行補正を行い、排紙ローラ７まで搬送する。表面読取終了時、原稿Ｓ１の後端によって排紙センサ１５のＯＦＦが検知された後、原稿読取装置５００は、さらに、原稿Ｓ１の後端が排紙ローラ７の手前１８ｍｍのところに到達するまで原稿を搬送し、その後、原稿Ｓ１の搬送を停止させる（図２Ｃの（ｆ）参照）。
【００４０】
つぎに、原稿Ｓ１の裏面を読み取るために、原稿読取装置５００は、原稿Ｓ１の表裏を反転させる。図２Ｃの（ｇ）に示すように、排紙ローラ７に原稿Ｓ１を噛ませた状態で、排紙ローラ７を逆転させ、排紙フラッパ２１を切り替える。この排紙ローラ７を逆転方向に駆動することにより、原稿読取装置５００は、原稿を反転パス２０（戻し搬送経路）に搬送し、上流に位置するレジストローラ３に突き当て、斜行補正を行う。
【００４１】
その後、原稿読取装置５００は、レジストローラ３を駆動し、排紙ローラ７を離間させ、排紙ローラ７の駆動を停止する。ここで、排紙ローラ７を離間させて停止させる理由は、原稿サイズがＡ３サイズのように大きい場合、反転中の原稿の後端が排紙ローラ７に残った状態で原稿が反転し、裏面読取中の原稿の先端が排紙ローラ７に再度突入する場合が想定されるためである。この場合、排紙ローラ７を離間させておかないと、排紙ローラ７で原稿の先端側と後端側とのすれ違いが発生するので、排紙ローラ７がニップを形成した状態で押しつけていると、搬送中の原稿の先端と後端の衝突が発生する。このため、このような衝突が発生しないように、排紙ローラ７を離間させておくのである。
【００４２】
図２Ｃの（ｈ）に示すように、原稿読取装置５００は、原稿Ｓ１の先端が原稿読取前ローラ４を通過すると、原稿読取プラテンローラ５により再び原稿Ｓ１を流し読みガラス２０１に移動させる。そして、原稿読取装置５００は、原稿Ｓ１の裏面を流し読みガラス２０１上の原稿読取位置で読み取る。
【００４３】
なお、表面読取時と同様、原稿読取装置５００は、リードセンサ１４のＯＮタイミングから原稿流し読みガラス２０１の原稿読取位置へ原稿先端が到達するタイミングを原稿読取プラテンローラ５の駆動源となる搬送モータのクロックにより計数する。
【００４４】
このように、原稿読取装置５００は、原稿流し読みガラス２０１上の原稿読取位置への原稿先端の到達タイミングを予測し、この予測されたタイミングでスキャナユニット２０９により原稿裏面流し読みによる画像の取り込みを行う。
【００４５】
原稿裏面画像の読み取りが終了した後、原稿読取装置５００は、このまま排紙トレイ３１に原稿を排紙するのではなく、再度、反転パス２０を用いて原稿を反転させて排紙する。これは、原稿を排紙トレイ３１に排紙し、全ての原稿の読み取りが終了した際、原稿のページの順番が元の原稿束Ｓと同じ順番になるようにするためである。
【００４６】
（原稿サイズ検知のための原稿幅・原稿長さの検知）
本実施形態のＡＤＦの原稿サイズ検知では、ＡＢ規格サイズ、ｉｎｃｈ規格サイズといった定型サイズの中から、いずれのサイズであるかを検知することが行われる。図３は原稿トレイ３０に配置された各種のセンサを示す図である。原稿トレイ３０には、原稿の搬送方向に直交する幅方向において、積載された原稿束Ｓの幅方向にスライド可能なガイド規制板１８が設けられている。また、このガイド規制板１８に連動して幅方向における原稿の長さ（原稿幅）を検出するガイド規制板原稿幅検知センサ（図示せず）が設けられている。
【００４７】
このガイド規制板１８は、ユーザが原稿をＡＤＦ上にセットする際、セットされた原稿が傾いた状態にならないように、手動で原稿を幅方向の両側から挟み込み、しっかりと押さえるようにして規制する。
【００４８】
原稿束Ｓが全て同じサイズの原稿から構成される場合、原稿トレイ３０に積載された原稿束Ｓの原稿サイズはつぎのように判別される。すなわち、ガイド規制板原稿幅検知センサから得られる原稿幅情報と、原稿トレイ３０上のトレイサイズ検知第１センサ１０およびトレイサイズ検知第２センサ１１により検出可能な原稿搬送方向長さ情報とから、原稿束Ｓの原稿サイズが判別可能となる。なお、トレイサイズ検知第１センサ１０およびトレイサイズ検知第２センサ１１を、それぞれトレイセンサ１０およびトレイセンサ１１ともいう。異なるサイズの原稿が混在している原稿束Ｓの読取モード（同幅／異幅原稿混載読取モード）の詳細については後述する。
【００４９】
（スキャナユニットによる読取処理）
リーダ２００は、原稿台ガラス２０２に載置された原稿を、光学スキャナユニット２０９が図１に示す矢印ａ方向（副走査方向）に走査することで、原稿に記録された画像情報を光学的に読み取る。
【００５０】
また、ＡＤＦ１００は、原稿トレイ３０に積載された原稿を１枚ずつ原稿読取位置に搬送する。一方、リーダ２００は、光学スキャナユニット２０９を原稿流し読みガラス２０１の原稿読取位置に移動させ、その位置で搬送中の原稿を読み取る。
【００５１】
ＡＤＦ１００に積載された原稿、あるいは原稿台ガラス２０２に載置された原稿は、原稿流し読みガラス２０１あるいは原稿台ガラス２０２を介して光学系により読み取られる。この光学系は、光源ランプ２０３と折り返しミラー２０４を有するスキャナユニット２０９、折り返しミラー２０５、２０６、レンズ２０７およびＣＣＤセンサユニット２１０を備える。ＣＣＤセンサユニット２１０によって読み取られた画像情報は、光電変換され、コントローラ部４００（図４参照）に画像データとして入力される。
【００５２】
基準白色板２１９は、シェーディング補正処理における白レベルの基準データを作成するための白板である。原稿画像読取ジョブの開始直後、リーダ２００は、スキャナユニット２０９を基準白色板２１９の直下まで移動し、基準白色板を読み取ることで、シェーディング補正処理を行う。
【００５３】
（制御系の構成）
図４はＡＤＦ１００、画像読取装置２００およびコントローラ部４００の構成を示すブロック図である。ＡＤＦ１００は、中央演算処理装置である制御部（以下、ＣＰＵという）３００、リードオンリメモリ（以下、ＲＯＭという）３０１、ランダムアクセスメモリ（以下、ＲＡＭという）３０２、出力ポートおよび入力ポートを備える。
【００５４】
ＲＯＭ３０１には、制御用プログラムが格納されている。ＲＡＭ３０２には、入力データや作業用データが格納される。出力ポートには、各種搬送用のローラを駆動するモータ３０３、ソレノイド３０６、クラッチ３０７などが接続されている。入力ポートには、各種センサ３０４が接続されている。各種センサ３０４として、リードセンサ１２、排紙センサ１３、排紙センサ１５、原稿幅検知センサ１７などが設けられている。
【００５５】
ＣＰＵ３００は、バスラインを介して接続されたＲＯＭ３０１に格納された制御プログラムに従って、原稿搬送を制御する。また、ＣＰＵ３００は、画像読取装置（リーダ）２００内の中央演算処理装置（ＣＰＵ）３２１と制御用通信線３５１を介してシリアル通信を行い、画像読取装置２００との間で制御データの授受を行う。また、原稿画像データの先端の基準となる画先信号も、制御用通信線３５１を通して画像読取装置２００に通知される。
【００５６】
画像読取装置２００内のＣＰＵ３２１は、画像読取装置２００の制御を行う。ＣＰＵ３２１には、プログラムを格納するＲＯＭ３２２およびワークＲＡＭ３２３が接続される。光学系モータドライブ部３２６は、光学系駆動モータを駆動させるためのドライバ回路である。
【００５７】
画像読取装置２００には、ランプ３２７およびＣＣＤセンサユニット２１０が接続されている。ＣＣＤセンサユニット２１０には、カラー画像読取用ＣＣＤ２１１およびＣＣＤコントローラ部２１２が設けられている。ＣＰＵ３２１は、光学系モータドライブ部３２６を制御し、画像処理部３２５を介してＣＣＤセンサユニット２１０を制御することで、画像読取処理を行う。
【００５８】
原稿搬送を実現するために、ＣＰＵ３２１は、ＡＤＦ１００の紙搬送制御用ＣＰＵ３００に制御用通信線（通信ライン）３５１を介して紙搬送制御コマンドを指示する。ＣＰＵ３００は、紙搬送制御コマンドが指示されると、搬送パスに設置されている各種センサ３０４をモニタし、負荷である搬送用のモータ３０３、ソレノイド３０６およびクラッチ３０７を駆動し、紙搬送制御を行う。
【００５９】
このように、ＣＰＵ３２１は、ＡＤＦ１００による原稿搬送制御および画像読取装置２００における画像読取制御を行う。
【００６０】
原稿間隔補正処理部３２４は先行の原稿に対する後続の原稿の搬送間隔（先行原稿と後続原稿との距離）の補正を行う。レンズ２０７を介してＣＣＤセンサユニット２１０に結像された原稿の反射光像は、デジタル画像データに変換される。この変換されたデジタル画像データに対し、さらに、画像処理部３２５でシェーディング補正処理や、画像データ上のスジ画像等を検知して除去する不要画像除去処理等の各種画像処理が施される。各種画像処理が施さされた画像データは、ライン画像メモリ部３２９に書き込まれる。
【００６１】
ライン画像メモリ部３２９に書き込まれたデータは、順次、画像転送用クロック信号線を含むコントローラインターフェース画像通信線３５３を通してコントローラ部４００に送信される。
【００６２】
さらに、原稿画像データの先端の基準となる画先信号は、ＣＰＵ３２１によってタイミングが調整され、コントローラインターフェース制御通信線３５２を通してコントローラ部４００に通知される。また、ＡＤＦ１００からの通信ライン３５１で通知される画先信号も、同様に、画像読取装置２００内のＣＰＵ３２１によってタイミングが調整され、コントローラインターフェース制御通信線３５２を通じてコントローラ部４００に通知される。
【００６３】
コントローラ部４００は、制御部４０１、変倍回転等の画像制御回路４０２、補正回路４０３、画像メモリ４０４および操作部４０５を有し、画像読取装置２００および自動原稿給紙装置１００を含む画像読取システム（原稿読取装置）５００の全体を制御する。ユーザは操作部４０５から原稿混載読取モードを選択することができ、原稿混載読取モードを選択すると、更に、同幅だけの原稿であるか異幅の原稿が混在しているかを選択するように構成されている。
【００６４】
ＣＰＵ３２１は制御バスラインに接続された画像処理部３２５を制御する。さらに、ＣＰＵ３２１は、画像処理部３２５を介して制御用通信線３５４から制御信号をＣＣＤセンサユニット２１０に伝達し、ＣＣＤセンサユニット２１０を制御する。
【００６５】
ＣＣＤセンサユニット２１０によって原稿画像を走査する過程で、カラー画像読取用ＣＣＤセンサ２１１による読み取りの１ラインごとに、アナログ画像信号が通信線２１３を介してＣＣＤコントローラ部２１２に出力される。
【００６６】
ＣＣＤコントローラ部２１２でアナログ画像信号がデジタル画像データに変換される。デジタル画像データは、画像転送用クロック信号線を含む画像データ情報通信線３５５からライン画像メモリ部３２９を経由してコントローラ部４００に送信される。
【００６７】
画像制御回路４０２により変倍・回転等の画像処理が施された後、画像信号（画像データ）は、補正回路４０３に送信される。補正回路４０３は、画像信号に対して補正処理を行い、画像メモリ４０４に書き込む。上述した様々な処理が施された画像データは、原稿の読取画像として扱われる。
【００６８】
（自動用紙選択機能）
自動用紙選択機能は、原稿読取装置５００が画像形成装置（図示せず）の給紙カセットに収納された記録媒体のサイズ、原稿のサイズ及び読取倍率とに基づいて画像形成に使用する記録媒体を自動的に選択する機能である。この場合、読取倍率はユーザにより設定される。
【００６９】
例えば、Ａ４サイズの原稿を、搬送方向側が長くなるように横置き（横置きのサイズをＡ４Ｒとする）にＡＤＦ１００にセットし、ユーザが読取倍率を１４１％に設定して読み取る場合、Ａ４Ｒサイズの原稿は１４１％に拡大されて読み取られる。これにより、読み取られた原稿の画像の出力サイズは、Ａ３サイズとなるので、画像形成装置にＡ３サイズの記録媒体があれば自動的にA３サイズの記録媒体が選択されて、A３サイズの記録媒体に複写される。
【００７０】
このように、自動用紙選択機能は、リーダ２００およびＡＤＦ１００で原稿画像を読み取る前に原稿サイズを決定し、コントローラ部４００に原稿サイズ（出力画像サイズ）の情報を通知しないと、成立しない機能である。
【００７１】
（自動倍率選択機能）
自動倍率選択機能は、主にサイズの異なる原稿が混在した原稿束を一律の特定サイズの用紙にコピー出力するような場合に使用される機能である。このため、原稿読取装置５００は、画像形成装置で画像を形成する記録媒体のサイズに合うように、原稿の読取倍率を自動的に決定し、決定した倍率で原稿を読み取る。この読取倍率は、リーダ２００あるいはＡＤＦ１００にセットされた原稿束Ｓの原稿1枚毎の原稿サイズ情報と、画像形成で使用する記録媒体としてユーザが選択する記録媒体のサイズ情報とにより決定される。
【００７２】
このように、自動倍率選択機能は、原稿サイズ情報と記録媒体のサイズ情報とから自動で読取倍率を選択する機能である。
【００７３】
例えば、コピーする原稿がＡ３サイズであり、読み取った原稿の画像をＡ４サイズの記録媒体にコピーする場合を例として挙げる。この場合、リーダ２００内のＣＣＤセンサユニット２１０で読み取られた原稿の画像データを縮小・回転しないと、Ａ４サイズの記録媒体に画像データをコピーすることはできない。
【００７４】
従って、縮小倍率を自動で計算する際、原稿読取装置５００で原稿を読み取る前に原稿サイズを確定することが必要である。さらに、原稿読取前に、読み取った後の処理である回転処理等、コントローラ部４００による画像処理の準備等も行う必要がある。。
【００７５】
（同幅／異幅原稿混載読取モード）
つぎに、同幅／異幅原稿混載読取モードについて説明する。前述した自動用紙選択機能および自動倍率選択機能は、異なるサイズの原稿が混在した原稿束の原稿を１枚ずつ原稿サイズを検知する原稿混載読取モードが設定された際、主に使用される機能である。
【００７６】
従来、原稿１枚毎に原稿サイズを確定するために、原稿読取装置５００は、両面読み取り時に原稿を反転するために使用される反転パスを用いて、原稿の画像を読み取ることなく、原稿を搬送し、搬送中に原稿搬送方向の長さ（原稿長さ）を検知していた。そして、原稿読取装置５００は、この検知された原稿長さと原稿の幅とから原稿サイズを決定し、この原稿サイズを決定した後も、さらに反転パスを使用し、再度、読取対象面が読取位置にくるまで、２回反転搬送（空回転）を行っていた。
【００７７】
このように、原稿サイズを決定するために、原稿１枚毎に余計な空回転（反転）を２回分実行すると、原稿混載読取モードの設定における読み取り生産性が低くなってしまう。
【００７８】
そこで、本実施形態では、原稿読取装置５００は、原稿サイズを決定する際、搬送される原稿について得られる情報から原稿サイズを予測することにより原稿サイズを仮決定し、この仮決定された原稿サイズが正しい場合、そのまま原稿読み取りを継続する。
【００７９】
一方、仮決定された原稿サイズが実測の結果と比較して異なっていた場合、原稿読取装置５００は、仮決定された原稿サイズが間違っていたと判断し、原稿を空回転させて正しい原稿サイズの検知を行う。原稿サイズの仮決定を行う際に、仮決定した原稿サイズが間違っていて空回転を行う必要が生じても、原稿読取装置５００は、後述するように、空回転時間が短くなるように原稿サイズを仮決定する。
【００８０】
つぎに、同幅／異幅原稿混載読取モードにおいて、原稿読み取り時の原稿サイズを決定するまでの処理を説明する。なお、同幅原稿混載読取モードと異幅原稿混載読取モードとを総称して原稿混載読取モードと称す。
【００８１】
（搬送原稿から得られる情報）
前述した図３（ａ）には、搬送カバー３２を閉じた状態のＡＤＦ１００が示されている。また、図３（ｂ）には、搬送カバー３２を開いた状態のＡＤＦ１００が示されている。
【００８２】
原稿トレイ３０に積載された原稿束の幅方向の両端を規制する搬送ガイド規制板１８（規制部材）は、原稿トレイ３０に一対に設けられ、それぞれ図３の矢印ｆに示すように幅方向に可動自在である。搬送ガイド規制板１８の位置は不図示の第１の検知部（センサ）により検知される。また、搬送ガイド規制板１８は、通常、原稿束の幅に合わせた位置にユーザが移動させて使用される。
【００８３】
前述したように、給紙ローラ１は原稿を１枚ずつ原稿束から剥離させて給紙する。分離ローラ２は、複数枚の原稿が重なって搬送されないように、最上位の原稿とその下の原稿とを分離する。レジストローラ３は、搬送中の原稿（シート）の斜行を補正し、所定のタイミングで原稿を搬送する。
【００８４】
原稿有無検知センサ１６は原稿トレイ３０上の原稿の有無を検知する。トレイサイズ検知第１センサ１０およびトレイサイズ検知第２センサ１１は、原稿が原稿トレイ３０にセットされた際、原稿搬送方向の長さを判断する。
【００８５】
通常、同じサイズの原稿からなる原稿束が原稿トレイ３０にセットされる場合、定型の原稿サイズであれば、原稿束としての幅と搬送方向長さとからその原稿サイズを決定することが可能である。すなわち、搬送ガイド規制板１８で検知される原稿幅情報と、トレイサイズ検知第１センサ１０およびトレイサイズ検知第２センサ１１で検知される原稿長さ情報とから、定型の原稿サイズを決定することが可能である。これは、全ての原稿が同じ原稿サイズである場合、原稿幅および原稿長さについては、これらのセンサで検知される情報が全ての原稿で共通するからである。
【００８６】
一方、原稿幅と原稿長さの異なる原稿が混在した原稿束を原稿トレイ３０にセットする場合、原稿幅は、原稿束の中で最大幅を有する原稿の幅に依存して検知されることになる。また、原稿搬送方向長さは、トレイサイズ検知第１センサ１０とトレイサイズ検知第２センサ１１により、原稿束の中で最大の原稿搬送方向長さを有する原稿の長さに依存して検知されることになる。
【００８７】
図５は原稿サイズとこれに対応するトレイサイズ検知第１センサ１０およびトレイサイズ検知第２センサ１１のＯＮ／ＯＦＦとの関係を示すテーブルである。このテーブルはＲＯＭ３２２に格納されている。同図（ａ）はＡＢ規格の定型サイズ（ＡＢ仕向けのサイズ）の場合を示す。同図（ｂ）はｉｎｃｈ規格の定型サイズ（ｉｎｃｈ仕向け）の場合を示す。この表に示すように、原稿サイズの規格に応じて、トレイサイズ検知第１センサ１０およびトレイサイズ検知第２センサ１１（以下、両センサともいう）はＯＮ／ＯＦＦになる。
【００８８】
例えば、１枚目がＡ３原稿、２枚目がＢ４原稿である原稿束の場合、図５（ａ）の表によると、トレイサイズ検知第１センサ１０とトレイサイズ検知第２センサ１１は、１枚目のＡ３原稿と２枚目のＢ４原稿のいずれにおいても給紙開始時にＯＮとなる。
【００８９】
このため、１枚目の原稿の給紙開始直後、両センサの検知情報により、原稿長さは、ラージサイズ系列（Ａ４／Ｂ５ではなく、Ａ３／Ｂ４）と仮に判断され、その後、実際に搬送された原稿（Ａ３原稿）のサイズを実測し、ラージサイズ系列と判断される。
【００９０】
さらに、１枚目の原稿に続き、２枚目の原稿の給紙開始直後、両センサの検知情報により、原稿長さは、ラージサイズ系列と仮に判断され、１枚目と同様、その後、実際に搬送された原稿（Ｂ４原稿）のサイズを実測し、ラージサイズ系列と判断される。
【００９１】
このように、異なる原稿サイズを組み合わせた場合でも、組み合わせのパターンや原稿の順番によっては、給紙搬送開始時の両センサの状態がそのまま搬送中の原稿の長さに対して適用できる場合がある。すなわち、これら両センサによる仮判断時にラージサイズ系列、さらに実測時にもラージサイズ系列となる、Ａ３／Ｂ４の組み合わせがある。
【００９２】
そこで、前述した原稿長さについて、給紙搬送開始時の原稿長さの情報が正しくなるような原稿の組み合わせ（具体的に、１枚目がＡ３原稿、２枚目がＢ４原稿の組み合わせ）を考える。この組み合わせで、各原稿の正しい原稿幅を検知する方法の詳細については後述する。
【００９３】
１枚目の原稿はＡ３幅（２９７ｍｍ）、２枚目の原稿はＢ４幅（２５７ｍｍ）というように、各原稿の先端が原稿読取位置に到達するまでに、正しい原稿幅が検知される場合、つぎのことが考えられる。すなわち、給紙搬送開始時に検知された原稿長さ情報と正しい原稿幅情報とから、仮原稿サイズが決定される。また、並行処理により、その読取開始直後に実測される原稿サイズと、仮決定された原稿サイズとが等しい結果になることが想定される。
【００９４】
この組み合わせの場合、仮決定された原稿サイズが最終的に正しい原稿サイズとなることが想定されるので、原稿読み直しのための空回転が不要となる。なお、原稿サイズが確定する以前に原稿先端は読取位置に到達しているため、仮サイズに基づく原稿の画像読み取りが行われている。
【００９５】
一方、１枚目がＡ４サイズ、２枚目がＢ５サイズの原稿の場合、図５（ａ）によると、トレイサイズ検知第１センサ１０およびトレイサイズ検知第２センサ１１はともにＯＦＦで同じ検知状態になる。この場合、スモールサイズ系列と判断される。
【００９６】
従って、各原稿について、原稿の先端が原稿読取位置に到達するまでに搬送時の原稿幅サイズがＡ４幅（２９７ｍｍ）／Ｂ５幅（２５７ｍｍ）のいずれかで検知されると、幅サイズを検知した時点で原稿サイズが仮決定される。そして、この仮決定されたサイズと、並行処理により読取開始直後に実測される原稿サイズとが等しい結果になると想定される。なお、正しい原稿幅を検知する方法の詳細については後述する。
【００９７】
従って、Ａ４／Ｂ５の組み合わせの場合も、Ａ３／Ｂ４組み合わせの場合と同様、原稿読取位置に到達するまでに仮決定された原稿サイズが最終的には正しい原稿サイズとなることが想定できる。このため、この組み合わせの場合も、原稿の読み直しのための空回転が不要となる。この場合も、原稿サイズが確定する以前に原稿先端は読取位置に到達しているため、仮サイズに基づく原稿の画像読み取りが行われている。
【００９８】
このように、原稿の組み合わせによっては、原稿の読み直しのための空回転が不要となるので、異なるサイズの原稿を読み込む原稿混載読取モードにおける読み取り生産性が向上する。
【００９９】
一方、１枚目の原稿がＡ４サイズ、２枚目の原稿がＢ４サイズからなる原稿束の場合、Ａ４サイズとＢ４サイズの２つの原稿のうち、原稿長さの長い原稿は、Ｂ４サイズとなる。このため、原稿トレイ３０に配置されたトレイサイズ検知第１センサ１０およびトレイサイズ検知第２センサ１１は、Ｂ４サイズの長さに応じて両方ともＯＮ状態となる。
【０１００】
図５（ａ）の表によると、１枚目のＡ４原稿も、ラージサイズ系列（Ａ３あるいはＢ４）と予測されることになる。この結果、Ａ４原稿／Ｂ４原稿の組み合わせの場合、仮に原稿搬送時に正しい原稿幅が特定されたとしても、仮原稿サイズはつぎのようになる。すなわち、幅情報と、トレイサイズ検知第１センサ１０およびトレイサイズ検知第２センサ１１の検知情報に基づく原稿長さとから予測した場合、１枚目の原稿サイズはＡ３サイズと仮決定される。従って、予測された仮原稿サイズは実測された原稿サイズと異なる結果になる。
【０１０１】
この場合、予測により仮決定された仮原稿サイズ（Ａ３）が実測による正しい原稿サイズ（Ａ４）と異なった場合、反転パスを用いて原稿を２回反転させることになる。しかし、Ａ３サイズよりも原稿長さの短いＡ４サイズの原稿を空回転するので、Ａ３サイズの原稿を空回転させることに比べて空回転に要する時間はかなり短くなる。
【０１０２】
このように、原稿混載読取モードでも、異なる原稿サイズの組み合わせ次第では、原稿幅を特定し、トレイサイズ検知第１センサ１０とトレイサイズ検知第２センサ１１の情報を加味することで、原稿の再読取のための空回転をなくし、従来に比べ、格段に読み取り生産性が向上する。
【０１０３】
さらに、原稿の読み直し時に空回転時間が最短になるように、つぎのような工夫を施すことで、時間を短縮させることが可能となる。つまり、原稿搬送時に確定する原稿幅と、トレイサイズ検知第１センサ１０およびトレイサイズ検知第２センサ１１のＯＮ／ＯＦＦによる判断情報とから、想定されるサイズのうち最大のサイズに仮原稿サイズが決定される。前述したように、ＯＮ／ＯＦＦによる判断情報は、ラージサイズ系列（Ａ３／  Ｂ４／ＬＤＲ／ＬＧＬ等）、ミドルサイズ系列（Ａ４Ｒ／Ｂ５Ｒ／ＬＴＲＲ等）、スモールサイズ系列（Ａ４／Ｂ５／ＬＴＲ／ＳＴＭＴ等）である。
【０１０４】
この決定された仮原稿サイズが最大のサイズと違っていた場合、読み直しのために空回転時間は、少なくとも仮決定された最大サイズよりも小さいサイズ分の空回転時間で済むはずである。
【０１０５】
また、１枚目の原稿がＡ４サイズ、２枚目の原稿がＢ４サイズの場合、前述したように、トレイサイズ検知第１センサ１０とトレイサイズ検知第２センサ１１は、Ｂ４サイズの長さに応じて両方ともＯＮ状態となる。
【０１０６】
１枚目の原稿搬送中、Ａ４幅（２９７ｍｍ）が確定した際、トレイサイズ検知第１センサ１０とトレイサイズ検知第２センサ１１はＯＮ状態である。このため、幅２９７ｍｍで、トレイサイズ検知第１センサ１０とトレイサイズ検知第２センサ１１がＯＮになる最大の長さであるＡ３サイズが仮原稿サイズとして決定される。
【０１０７】
このように、予測として最大サイズを仮決定する理由は、仮に予測がはずれた場合、原稿を読み直すために反転パスを使用して空回転させて読み直し準備を行うことになるが、その際、できる限り空回転時間を短くするためである。例えば、Ａ４サイズとＡ３サイズの原稿を搬送する際の空回転時間を比較すると、Ａ４原稿の方が搬送方向の長さが短い分、合計の空回転時間が約半分短くなる。
【０１０８】
このように、予測がはずれても、原稿の空回転の搬送時間が短くてすむように、サイズを予測する。すなわち、予測として、トレイサイズ検知第１センサ１０およびトレイサイズ検知第２センサ１１のＯＮ／ＯＦＦによる判断情報と、搬送による原稿幅情報とから、想定されるサイズのうち最大のサイズが仮原稿サイズに決定されることになる。
【０１０９】
そして、前述したように、この仮決定された原稿サイズが外れた場合、少なくとも仮決定されたサイズよりも小さいサイズ分の空回転が行われることになる。すなわち、Ａ３原稿をＡ４サイズと予測して外れていた場合のＡ３サイズ分の空回転時間よりも、Ａ４原稿をＡ３原稿と予測して外れていた場合のＡ４サイズ分の空回転時間の方が短いということである。
【０１１０】
（原稿読取動作）
つぎに、ＡＤＦ１００を用いた原稿読取装置５００の原稿読取動作について説明する。図６は異なるサイズの原稿が混在した原稿束ＳをＡＤＦ１００にセットした状態を示す図である。同図（ａ）は正面から視た状態を示し、同図（ｂ）は同図（ａ）の上側から視た状態を示す。
【０１１１】
ここでは、例として、Ｂ４サイズ原稿の上にＡ４サイズ原稿がセットされている（１枚目がＡ４サイズ、２枚目がＢ４サイズ）場合を示す。同図（ｂ）において、太線枠で示される原稿はＢ４サイズ原稿である。原稿混載読取モードは異幅が設定されるものとする。一方、点線枠で示される原稿はＡ４サイズである。原稿は全て奥側（図６（ｂ）の上側）の搬送ガイド規制板１８に寄せてセットされる。Ａ４原稿は長辺（２９７ｍｍ）を送り方向と直交する幅方向としてセットする。
【０１１２】
なお、原稿の長辺が原稿搬送方向と平行になるようにセットされる場合の搬送をＲ方向搬送と呼ぶことにする。また、その場合の原稿サイズを、例えばＡ４サイズの原稿である場合、Ａ４Ｒサイズと呼ぶことにする。
【０１１３】
この例では、Ａ４サイズの原稿がセットされているので、搬送ガイド規制板１８はほぼ最大幅まで広げられた状態にある。また、原稿トレイ３０には、Ｂ４サイズ原稿がセットされているので、トレイサイズ検知第１センサ１０およびトレイサイズ検知第２センサ１１は両方ともＯＮになっている状態である。
【０１１４】
原稿混載読取モード（異幅）の設定でない場合、搬送ガイド規制板１８により検出される原稿幅、およびトレイサイズ検知第１センサ１０とトレイサイズ検知第２センサ１１の情報に基づき、定型原稿サイズのうちいずれの原稿サイズであるかが決定される。すなわち、図５のテーブルから、原稿搬送方向のサイズについては、ラージサイズ系列（Ａ３／Ｂ４／ＬＤＲ）／ミドルサイズ系列（Ａ４Ｒ／Ｂ５Ｒ／ＬＴＲＲ）／スモールサイズ系列（Ａ４／ＬＴＲ以下）のいずれかが検知される。そして、これらの情報により、定型サイズのうちどの原稿サイズであるのかを決定することができる。
【０１１５】
一方、原稿混載読取モードの設定である場合、原稿トレイ３０に原稿束Ｓをセットしただけでは、原稿サイズを特定することはできず、しかも原稿1枚毎にサイズが異なる可能性があるため、1枚ずつ原稿サイズを特定しなければならない。
【０１１６】
そこで、前述したように、原稿読取装置５００は、原稿サイズを仮決定するために、原稿トレイ３０から給紙する直前に、つぎのような情報（ｉ）、（ｉｉ）を検知し、原稿サイズの予測に使用する。
【０１１７】
（ｉ）  原稿給紙搬送直前の原稿トレイ３０におけるトレイサイズ検知第１センサ１０およびトレイサイズ検知第２センサ１１のＯＮ／ＯＦＦ情報
（ｉｉ）  搬送ガイド規制板１８により検出される原稿幅情報
図７、図８および図９は原稿読取動作手順を示すフローチャートである。この制御プログラムは、画像読取装置２００内のＲＯＭ３２２に格納されており、コントローラ部４００内の制御部４０１からの要求指示に従って、画像読取装置２００内のＣＰＵ３２１によって実行される。
【０１１８】
オペレータにより原稿束Ｓが原稿トレイ３０にセットされた後、ＣＰＵ３２１は、ＡＤＦ１００を使用したコピーなどの読取ジョブを開始する（ステップＳ１）。
【０１１９】
ＣＰＵ３２１は、オペレータの操作により設定された読取モードが原稿混載読取モードであるか否かを判別する（ステップＳ２）。このオペレータの操作により設定された、原稿混載読取モードの情報は、制御部４０１からＣＰＵ３２１に通知される。
【０１２０】
原稿混載読取モードが設定されていない場合、つまり非混載原稿読取モードの場合、基本的に、原稿束Ｓは全て同じ原稿サイズである。従って、１枚目の原稿の原稿サイズが決定されると、２枚目以降の原稿については、１枚目で決定した原稿サイズに従って、原稿読み取りが行われる。
【０１２１】
ステップＳ２の判別の結果、非混載原稿読取モードの場合、ＣＰＵ３２１は、制御部４０１からの原稿給紙開始要求の通知を待つ（ステップＳ２１）。原稿給紙開始要求が通知されると、ＣＰＵ３２１は、１枚目の原稿であるか否かを判断する（ステップＳ２２）。
【０１２２】
１枚目の原稿である場合、ＣＰＵ３２１は、ガイド規制板原稿幅検知センサにより給紙開始直前に搬送ガイド規制板１８のガイド幅から原稿幅を検知する（ステップＳ２３）。ここで、非混載原稿読取モードの場合、原稿束Ｓの全ての原稿が同じ原稿サイズを有することを前提として、原稿読取装置５００は動作するので、搬送ガイド規制板１８で検知されたガイド幅がそのまま原稿幅に決定される。
【０１２３】
さらに、ＣＰＵ３２１は、トレイサイズ検知第１センサ１０とトレイ検知第２センサ１１により検知された情報から、図５に示すテーブルを用いて、原稿長さを検知する（ステップＳ２４）。ここで、原稿幅の場合と同様に、原稿束Ｓの全ての原稿が同じ原稿サイズを有することを前提として、原稿読取装置５００は動作するので、これらのセンサで検知された原稿長さが全ての原稿の原稿長さに適用される。
【０１２４】
ＣＰＵ３２１は、検知された原稿幅と原稿長さとから定型の原稿サイズを決定する（ステップＳ２５）。ＣＰＵ３２１は、原稿サイズが決定された状態で原稿給紙を開始する（ステップＳ２６）。ＣＰＵ３２１は、原稿の給紙を開始した後、決定した原稿サイズを制御部４０１に通知する（ステップＳ２７）。
【０１２５】
制御部４０１は、これから読み取られる原稿画像に対して行う各種の画像処理の準備として、ＣＰＵ３２１から通知された原稿サイズ情報をもとに、変倍処理における倍率の計算や読取範囲の設定、画像メモリ４０４の使用領域の確保等を実行する。画像読取準備が完了すると、制御部４０１から搬送中の原稿に対する原稿読取開始要求が発行される。
【０１２６】
ＣＰＵ３２１は、制御部４０１から原稿読取開始要求が通知されると、原稿の読み取りを開始する（ステップＳ２８）。すなわち、ＣＰＵ３２１は、制御用通信線３５１を介してＡＤＦ１００内のＣＰＵ３００に読み取り開始を指示する。
【０１２７】
ＣＰＵ３２１は、原稿画像の読み取りが終了するまで待つ（ステップＳ２９）。読み取りが終了すると、制御用通信線３５１を介してＣＰＵ３００からＣＰＵ３２１に読み取り終了が通知される。原稿画像の読み取りが終了すると、ＣＰＵ３２１は、読み取りが終了した原稿が最終原稿であるか否かを判断する（ステップＳ３０）。
【０１２８】
最終原稿でない場合、ＣＰＵ３２１は、ステップＳ２１の処理に戻り、次の原稿の読み取りを開始するために、次原稿の給紙開始要求の通知を待つ。そして、次原稿の給紙開始要求の通知が届くと、ＣＰＵ３２１は、ステップＳ２２の処理を行う。このステップＳ２２の処理では、２枚目以降の原稿であって、混載設定でないので、２枚目以降の原稿のサイズは全て１枚目と同じ原稿サイズであることを前提として動作が行われる。従って、ＣＰＵ３２１は、原稿サイズを決定するステップＳ２３〜Ｓ２５の処理をスキップし、ステップＳ２６の処理に進む。そして、ステップＳ２６の原稿給紙開始処理からステップＳ２９の原稿画像読取終了処理までの処理が継続して行われる。
【０１２９】
ステップＳ３０で、原稿が無くなり、読み取りが終了した原稿が最終原稿である場合、ＣＰＵ３２１は、後処理動作を実行し（ステップＳ３１）、非混載原稿読取モードによる原稿読取動作を終了する。
【０１３０】
つぎに、原稿混載モード設定（異幅）で原稿読取ジョブが実施される場合について説明する。なお、ここでは、第１の例として、１枚目の原稿がＡ４サイズの原稿であり、２枚目の原稿がＢ４サイズの原稿である、原稿束Ｓの組み合わせを想定して説明する。
【０１３１】
ステップＳ２で原稿混載読取モードが設定されていた場合、つまり、原稿混載読取モード情報が制御部４０１からＣＰＵ３２１に通知された場合、ＣＰＵ３２１は、制御部４０１からの原稿給紙開始要求の通知を待つ（ステップＳ３）。
【０１３２】
ＣＰＵ３２１は、原稿給紙開始要求が通知されると、搬送ガイド規制板１８による搬送ガイドのガイド幅をガイド規制板原稿幅検知センサにより検知する（ステップＳ４）。さらに、ＣＰＵ３２１は、トレイサイズ検知第１センサ１０と第２センサ１１により原稿長さを検知する（ステップＳ５）。なお、このステップＳ５の処理は第１の原稿長さ検知手段の一例である。
【０１３３】
この例では、１枚目の原稿サイズがＡ４サイズ、２枚目の原稿サイズがＢ４サイズであるので、最大の原稿幅はＡ４サイズの２９７ｍｍであり、最大の原稿長さはＢ４サイズの３６４ｍｍである。Ｂ４サイズの原稿で検知される情報として、トレイサイズ検知第１センサ１０およびトレイサイズ検知第２センサ１１はともにＯＮとなる。従って、この両方のセンサ情報から、原稿束Ｓには、ラージサイズ系列の原稿が含まれることが検知される。
【０１３４】
ＣＰＵ３２１は、原稿給紙開始要求に応じて、１枚目の原稿の給紙を開始する（ステップＳ６）。１枚目の原稿の給紙が開始されると、ＣＰＵ３２１は、原稿の先端によって分離後センサ１２がＯＮになったか否かを確認する（ステップＳ７）。ＯＮになっていない場合、ＣＰＵ３２１は、ステップＳ７の処理に戻り、分離後センサ１２がＯＮになるまで待つ。なお、分離後センサ１２のＯＮ／ＯＦＦなどの情報は、制御用通信線３５１を介してＣＰＵ３００からＣＰＵ３２１に通知される。
【０１３５】
ここで、分離後センサ１２のＯＮを待つのは、ＣＰＵ３２１のタイマクロックにより、分離後センサ１２のＯＮタイミングから分離後センサ１２のＯＦＦタイミングまでの期間を計測するためである。即ち、分離後センサ１２を原稿の先端から後端までが通過する時間を測定することで、実際の原稿長さを測定する。
【０１３６】
ＣＰＵ３２１は、分離後センサ１２がＯＮになったことを検知すると、原稿長さの実測を開始する（ステップＳ８）。ＣＰＵ３２１は、さらに、原稿が搬送され、レジストローラ３に原稿が到達したか否かを検知する（ステップＳ９）。レジストローラ３に原稿が到達していない場合、ＣＰＵ３２１は、レジストローラ３に原稿が到達するまでステップＳ９の処理を繰り返す。そして、レジストローラ３に原稿の先端が突き当てられ、一旦停止することで原稿搬送中の斜行が補正される。
【０１３７】
図１０は１枚目の原稿の先端がレジストローラ３に突き当てられた状態を示す図である。同図（ａ）は正面から視た状態を示し、同図（ｂ）は同図（ａ）の上側から視た状態を示す。前述したように、この組み合わせの例（第１の例）では、搬送ガイド規制板１８により検知される幅情報として、原稿束Ｓの中で最大の原稿幅であるＡ４サイズの原稿幅、すなわち、２９７ｍｍの原稿幅が検知される。
【０１３８】
一方、混載原稿読取モード（異幅）の設定では、搬送ガイド規制板１８で検知される幅が搬送中の原稿幅であると、すぐに決定することはできない。この理由は、今回の組み合わせ例（第１の例）では、Ｂ４サイズの原稿が給紙されている可能性があるからである。
【０１３９】
そこで、本実施形態では、レジストローラ３の近傍の４ヶ所に並置された原稿幅検知センサ１７の検知情報と搬送ガイド規制板１８のガイド幅の情報との両方を使用して、搬送中の原稿幅が決定される。
【０１４０】
Ａ４サイズの原稿とＢ４サイズの原稿のように、異なる原稿サイズの原稿を組み合わせる場合、原稿トレイ３０に原稿をセットする際、原稿は搬送ガイド規制板１８の奥側に突き当てられてセットされる。原稿の先端がレジストローラ３の近傍に到達するタイミングでは、４ヶ所に設置された原稿幅検知センサ１７のいくつかにより原稿が検知される。即ち、４つの原稿幅検知センサ１７のうち、どのセンサが原稿を検知していてどのセンサが原稿を検知していないかを判断することにより原稿の幅方向の端部の位置が検知される。検知された端部位置から想定される原稿サイズが決定される。これらの原稿幅検知センサ１７は原稿の幅方向の一方の端部の位置を検知する第２の検知部として機能する。
【０１４１】
なお、本実施形態では、搬送ガイド規制板１８の奥側のガイドに突き当てた状態で原稿をセットした際、搬送ガイド規制板１８の幅と原稿幅検知センサ１７の検知数とが原稿サイズと関連するように、４つの原稿幅検知センサ１７は配置されている。図１１は搬送ガイド規制板１８の幅と原稿幅検知センサ１７の検知数とから想定される原稿サイズを示すテーブルである。このテーブルはＲＯＭ３２２に格納されている。
【０１４２】
搬送ガイド規制板１８は、幅方向（主走査方向）の中央基準で主走査幅の規制が可変になるように構成されている。従って、原稿サイズに応じて、搬送ガイド規制板１８の幅が可変する。さらに、搬送ガイド規制板１８の幅に応じて、搬送中に原稿が通過する原稿幅検知センサ１７の検知状態も変わる。
【０１４３】
ＣＰＵ３２１は、搬送ガイド規制板１８で検知された幅情報、４ヶ所の原稿幅検知センサ１７の検知数情報、および原稿サイズのＡＢサイズ／ｉｎｃｈサイズの仕向け情報から、図１１の表に基づき、搬送中の原稿の幅サイズを決定する（ステップＳ１０）。
【０１４４】
このように、現在搬送中の原稿について、図１１の表に基づき、検知された原稿幅情報から、いくつかのサイズの候補が想定されることになる。即ち、ＣＰＵ３２１は原稿サイズの候補を取得する候補取得手段として機能する。今回の場合、１枚目の原稿については、Ａ４サイズの幅であることが決定されているので、Ａ４サイズかＡ３サイズの候補が想定されることになる。
【０１４５】
これらの候補の中から、さらに、原稿長さの情報、すなわち給紙開始直前のトレイサイズ検知第１センサ１０およびトレイサイズ検知第２センサ１１のＯＮ／ＯＦＦ情報に基づき、図５のテーブルからラージサイズ系列の原稿であることが検知される。
【０１４６】
従って、ＣＰＵ３２１は、この原稿長さの情報を加味し、想定される最大のサイズを搬送中の原稿の原稿サイズとして仮に決定する（ステップＳ１１）。即ち、ＣＰＵ３２１は仮サイズ決定手段として機能する。この例（第１の例）では、１枚目の原稿に対し、サイズ情報として、Ａ３サイズが仮決定されることになる。ＣＰＵ３２１は、ステップＳ１１において、さらに仮決定された原稿サイズ情報を制御部４０１に通知する。制御部４０１は、仮決定された原稿サイズ情報に基づき、内部の画像処理の準備を行う。
【０１４７】
画像処理の準備として、例えば、自動倍率選択機能のための読取倍率の計算、画像メモリの使用領域の確保等の準備が挙げられる。これらの準備が済み次第、制御部４０１からＣＰＵ３２１に原稿読取要求が通知される。
【０１４８】
ＣＰＵ３２１は、この原稿読取要求の通知を受けると、原稿の先端が原稿読取位置に到達した時点で原稿読み取りを開始する（ステップＳ１２）。ＣＰＵ３２１はその後、原稿読み取り中、分離後センサ１２がＯＦＦになるまで待つ（ステップＳ１３）。分離後センサ１２のＯＦＦが検知されたことにより、分離後センサ１２がオンしてからオフするまでの時間がＣＰＵ３２１のタイマクロックにより測定される。なお、分離後センサ１２の位置は検知位置に対応する。
【０１４９】
ＣＰＵ３２１は、この測定結果に基づき、原稿長さを実測し（第２の原稿長さ検知手段）、この実測により得られた原稿長さおよび原稿幅から正しい原稿サイズを決定する（ステップＳ１４）。即ち、ＣＰＵ３２１は実サイズ決定手段として機能する。ここでは、既に決定済みの原稿幅情報と合わせ、正しい原稿サイズはＡ４サイズと決定される。
【０１５０】
ＣＰＵ３２１は、実測結果による正しい原稿サイズと、予測により仮決定された原稿サイズとが一致するか否かを確認する（ステップＳ１５）。一致しないと確認された場合、ＣＰＵ３２１は、現在読み取り中の原稿に対し、原稿の読み直しを行うため、読み直しシーケンスを実行する（ステップＳ２０）。この後、ＣＰＵ３２１はステップＳ１８の処理に進む。今回の例（第１の例）では、１枚目の原稿サイズはＡ４原稿サイズであるが、Ａ３サイズと仮決定されているので、予測は外れたことになる。従って、この現在読み取り中の原稿については、原稿の読み直しを行うため、読み直しシーケンスが実行される。
【０１５１】
一方、ステップＳ１５で、実測結果による正しい原稿サイズと予測により仮決定された原稿サイズとが一致すると確認された場合、ＣＰＵ３２１は、実測結果を制御部４０１に通知する（ステップＳ１６）。
【０１５２】
そして、ＣＰＵ３２１は、現在の原稿読み取りが終了するまで待つ（ステップＳ１７）。原稿読み取りが終了すると、ＣＰＵ３２１は、読み取った原稿が最終原稿であるか否かを判断する（ステップＳ１８）。最終原稿でない場合、ＣＰＵ３２１は、ステップＳ３の処理に戻る。
【０１５３】
一方、最終原稿である場合、ＣＰＵ３２１は、所定の後処理動作を実行し（ステップＳ１９）、本処理を終了する。
【０１５４】
なお、今回のように、予測が外れた場合、ＣＰＵ３２１は、次の原稿の有無情報を制御部４０１に通知しないようにする。その理由は、制御部４０１に次原稿情報が通知された場合、コントローラ部４００の内部で開始される次原稿の準備処理に対し、読み直しが発生した場合、これらの処理をキャンセルする等の余計な修復処理が発生してしまう可能性が高くなるからである。つまり、この処理で、読み直し動作に余分な時間が発生してしまうことを避けるためである。
【０１５５】
また、仮決定されたサイズに基づく原稿読み取り動作が終了しても、予測が外れた場合、ＣＰＵ３２１は、制御部４０１に読取終了を通知しないようにする。その理由は、読取終了通知をトリガイベントとして発生する処理に対し、読み直しが発生した場合、これらの処理をキャンセルする等の余計な修復処理が発生してしまう可能性が高くなるからである。つまり、この処理で、読み直し動作に余分な時間が発生してしまうことを避けるためである。
【０１５６】
従って、前述したように、搬送中の原稿の正しい原稿サイズが判明し、予測が外れなかった場合のみ、ＣＰＵ３２１は、ステップＳ１６で次原稿の有無情報を制御部４０１に通知する。
【０１５７】
図１２はステップＳ２０における原稿読み直しシーケンスを示すフローチャートである。まず、ＣＰＵ３２１は、実測の結果、予測が外れたことを制御部４０１に通知する（ステップＳ４１）。ＣＰＵ３２１は、ＡＤＦ１００に対し、再度、同じ原稿面を読み直すために、反転パス２０を使用して原稿反転処理（空回転）を行わせる（ステップＳ４２）。このとき実行される空回転は、両面搬送時の原稿反転処理のための空回転と同じである。予測が外れたことを通知された制御部４０１は、現在読み取り中のページに対してキャンセル処理を行い、原稿画像データ情報を廃棄し、再度読み直しによる原稿画像データ情報の受信準備を行う。
【０１５８】
ＣＰＵ３２１は、ＡＤＦ１００に対して２回原稿反転処理（空回転処理）を実行させ、読み直す面の原稿の先端がレジストローラ３に到達したことを検知すると、原稿読み直し準備完了と判断する。ＣＰＵ３２１は、原稿読み直し準備が完了するまで待ち（ステップＳ４３）、原稿読み直し準備が完了すると、原稿読み直し準備完了を制御部４０１に通知する（ステップＳ４４）。このとき、正しい原稿サイズであるＡ４サイズ情報と、次の原稿の有無情報、つまり今回の例（第１の例）では原稿有り情報が通知される。
【０１５９】
ＣＰＵ３２１は、制御部４０１から正しい原稿サイズの読み直し要求が通知されると、正しい原稿サイズで原稿を読み直す（ステップＳ４５）。そして、ＣＰＵ３２１は、原稿読み直しが終了するまで待つ（ステップＳ４６）。ＣＰＵ３２１は、原稿読み直しが終了した時点で、制御部４０１に原稿読み直しの正常終了を通知する（ステップＳ４７）。そして、ＣＰＵ３２１はメインの処理に復帰する。
【０１６０】
メインの処理では、原稿読み直しシーケンスが終了すると、ＣＰＵ３２１は、ステップＳ１８で、原稿読み直しが終了した原稿が最終原稿であるか否かを判断する。最終原稿であると判断された場合、ＣＰＵ３２１は、原稿読取動作の終了となるが、次原稿がある場合、ステップＳ１８の処理に戻り、制御部４０１からの原稿給紙開始要求の通知を待つ。
【０１６１】
次原稿の給紙開始要求が通知されると、この例（第１の例）では、ＣＰＵ３２１は、ただちに２枚目の原稿であるＢ４原稿の給紙を開始する。
【０１６２】
２枚目の原稿についても、１枚目の原稿と同様、原稿サイズが決定される。２枚目の原稿はＢ４サイズであるので、トレイサイズ検知第１センサ１０と第２センサ１１の両方がともにＯＮ状態となる。搬送ガイドのガイド幅は、１枚目の原稿と同様、Ａ４幅（２９７ｍｍ）となる。一方、原稿幅検知センサ１７の検知情報として、３ヶ所がＯＮとなる。原稿幅検知センサ１７の検知情報とガイド幅情報（２９７ｍｍ）とから、原稿幅情報としてＢ４サイズ幅（２５７ｍｍ）であることが決定される。
【０１６３】
このように、現在搬送中の原稿に対し、図１１の表を用いて検知された原稿幅情報では、いくつかのサイズの候補が想定されることになる。今回の場合、２枚目はＢ４サイズ幅であることが決定しているので、Ｂ４サイズとＢ５サイズの候補が想定される。これら候補の中で、さらに原稿長さの情報、つまり給紙開始直前のトレイサイズ検知第１センサ１０およびトレイサイズ検知第２センサ１１のＯＮ／ＯＦＦ情報に基づき、図５の表から、ラージサイズ系列であることが検知されている。
【０１６４】
従って、ＣＰＵ３２１は、ステップＳ１０において、この原稿長さの情報を加味し、想定される最大の原稿サイズを搬送中の原稿の原稿サイズとして仮に決定する。すなわち、２枚目の原稿サイズは、Ｂ４サイズに仮決定される。
【０１６５】
２枚目の原稿についても、１枚目の原稿と同様に原稿長さの実測が行われる。ステップＳ１４では、既に決定済みの原稿幅情報と合わせ、正しい原稿サイズはＢ４サイズと決定される。２枚目の原稿については、予測により仮決定された原稿サイズは、Ｂ４サイズと予測されたので、実測により得られた原稿サイズと一致する。従って、原稿の読み直しは発生しない。
【０１６６】
ＣＰＵ３２１は、ステップＳ１６で、実測の結果、予測が正しかったことを制御部４０１に通知し、２枚目の原稿を継続して読み取る動作を行う。なお、制御部４０１に通知する際、次原稿の有無情報が同時に通知される。今回の例（第１の例）では、３枚目の原稿が無いので、次原稿無しの情報が通知する。
【０１６７】
ＣＰＵ３２１は、ステップＳ１７で、２枚目の原稿読み取りが終了するまで待ち、２枚目の原稿読み取りが終了すると、ステップＳ１８で、読み取りが終了した原稿が最終原稿であるか否かを判断する。最終原稿であると判断された場合、ＣＰＵ３２１は、ステップＳ１９で、所定の後処理を実行し、本処理を終了する。
【０１６８】
（１枚目の原稿がＢ４サイズ、２枚目の原稿がＡ４サイズの組み合わせの場合）
つぎに、第２の例として、１枚目の原稿がＢ４サイズ、２枚目の原稿がＡ４サイズの組み合わせの場合について説明する。
【０１６９】
１枚目の原稿サイズはＢ４サイズであるので、給紙開始直前のトレイセンサ１０とトレイセンサ１１は両方ともＯＮとなる。また、Ｂ４サイズとＡ４サイズの組み合わせであるので、搬送ガイド規制板１８のガイド幅として、幅の大きいＡ４幅（２９７ｍｍ）が検知される。さらに、搬送中に検知される原稿幅検知センサ１７の検知情報として、３ヶ所が検知される。
【０１７０】
従って、レジストローラ３の突き当て時の予測で、想定される最大サイズはＢ４サイズである。原稿サイズとして、Ｂ４サイズが仮決定される。
【０１７１】
実際、１枚目の原稿はＢ４サイズであるので、空反転することなく継続され、次原稿の給紙が開始される。
【０１７２】
次原稿の給紙開始時、原稿トレイ３０に残った原稿はＡ４サイズの原稿であるので、給紙開始直前のトレイセンサ１０とトレイセンサ１１は両方ともにＯＦＦとなる。
【０１７３】
２枚目の原稿では、給紙開始直前のトレイセンサ１０とトレイセンサ１１は両方ともにＯＦＦである。また、搬送ガイド規制板１８のガイド幅として、Ａ４幅（２９７ｍｍ）が検知される。さらに、搬送中に検知される原稿幅検知センサ１７の検知情報として、４ヶ所が検知される。
【０１７４】
従って、これらの情報から、レジストローラ３の突き当て時に予測される仮サイズは、想定される最大サイズであるＡ４サイズとなる。
【０１７５】
ここで、前述したように、１枚目がＡ４サイズの原稿、２枚目がＢ４サイズの原稿の組み合わせの場合と比べると、２枚目のＡ４サイズの原稿給紙時、トレイセンサ１０とトレイセンサ１１の検知情報が異なる。このため、予測で想定される最大サイズが前回の例（第１の例）ではＡ３サイズであり、今回の例（第２の例）ではＡ４サイズとなる。
【０１７６】
実際、２枚目の原稿サイズはＡ４サイズであるので、２枚目も実測によって原稿サイズは正しく検知される。これにより、今回の例（第２の例）では、１枚目、２枚目のいずれの場合も、空反転することなく、読み取り動作が終了する。
【０１７７】
このように、本実施形態の原稿読取装置によれば、仮原稿サイズと実際の原稿サイズとが等しく予測が当たっていた場合、読み直しを行うことなく原稿の画像の読み取りを継続させることができる。一方、予測が外れても、最大の原稿サイズより搬送方向の長さが短い原稿サイズであるので、原稿を反転パスを経由して空回転させる時間を短くすることができる。従って、原稿混載モードにおける読み取り生産性を向上させ、ユーザにとって使い勝手が良くなる。
【０１７８】
また、搬送パスの短い原稿読取装置に適用することができ、装置の小型化が図れる。また、次原稿の準備処理に対し、読み直しが発生した場合、これらの処理をキャンセルする等の余計な修復処理が発生してしまう可能性が高くなることを避けることができる。従って、読み直し動作に余分な時間が発生してしまうことが無くなる。
【０１７９】
また、原稿混載読取モード（同幅）の場合は、原稿の正しい幅を検知できるタイミングが原稿混載読取モード（異幅）の場合よりも速くなるだけで、その他の制御は異幅の場合と同様である。
【０１８０】
なお、本発明は、上記実施形態の構成に限られるものではなく、特許請求の範囲で示した機能、または本実施形態の構成が持つ機能が達成できる構成であればどのようなものであっても適用可能である。
【０１８１】
例えば、上記実施形態では、原稿の画像を読み取る読取ユニット（ＣＣＤセンサユニット）は画像読取装置２００に設けられていたが、自動原稿給紙装置内に読取ユニットを設け、自動原稿給紙装置が原稿を搬送しながらその画像を読み取る構成であってもよい。
【０１８２】
また、上記実施形態では、図７、図８、図９に示す原稿読取動作は、画像読取装置２００内のＣＰＵ３２１によって実行されたが、自動原稿給紙装置１００内のＣＰＵ３００が実行するようにしてもよい。これにより、自動原稿給紙装置が他の画像読取装置に接続された場合でも、同様の制御を行わせることが可能となる。
【０１８３】
また、本発明の原稿読取装置が接続される画像形成装置としては、電子写真方式や静電記録方式の画像形成装置が挙げられる。このような画像形成装置として、本来の印刷装置、印刷機能を有するファクシミリ装置、印刷機能、コピー機能、スキャナ機能等を有する複合機（ＭＦＰ）であってもよいことは勿論である。
【０１８４】
また、本発明は、複数の機器から構成されるシステムに適用しても、１つの機器からなる装置に適用してもよい。
【０１８５】
また、上記実施形態に記載されている構成部品の形状、それらの相対配置などは、本発明が適用される装置の構成や各種条件により適宜変更されるべきものであり、本発明の範囲は上記例示するもののみに限定されものではない。
【０１８６】
また、原稿のマテリアル（材質）としては、紙媒体、ＯＨＰシート、厚紙用紙など、特に限定されない。
【符号の説明】
【０１８７】
３  レジストローラ
１０  トレイサイズ第１検知センサ
１１  トレイサイズ第２検知センサ
１２  分離後センサ
１７  原稿幅検知センサ
１８  ガイド規制板
２０  反転パス
３０  原稿トレイ
１００  自動原稿給紙装置（ＡＤＦ）
【図１】
2011024098.tif 000003
【図２Ａ】
2011024098.tif 000004
【図２Ｂ】
2011024098.tif 000005
【図２Ｃ】
2011024098.tif 000006
【図３】
2011024098.tif 000007
【図４】
2011024098.tif 000008
【図５】
2011024098.tif 000009
【図６】
2011024098.tif 000010
【図７】
2011024098.tif 000011
【図８】
2011024098.tif 000012
【図９】
2011024098.tif 000013
【図１０】
2011024098.tif 000014
【図１１】
2011024098.tif 000015
【図１２】
2011024098.tif 000016